(57)【要約】【課題】ゲート下部の樹脂厚が薄く、樹脂形状やゲート位置に制限がある場合であっても、ゲート切断時においてゲート直下部のリードフレームからの樹脂の剥離によるリード裏面の露出を防止することを目的とする。【解決手段】リードフレーム２１のゲート樹脂残り部１０５の近傍表面のエリア２６に、樹脂との密着性が向上するような表面処理３９を施すことにより、樹脂形状やゲート位置に制限があり、かつ、ゲート直下部の樹脂厚２０３がゲート径２０６より薄い場合でも、リードフレーム２１と樹脂との接合強度が向上するため、ゲート切断時に樹脂が剥離することを抑制することができる。【選択図】図４
2013051296.tif 000002
【特許請求の範囲】
【請求項１】
１または複数のリードを備えるリードフレームと、
前記リードフレームを保持する樹脂部と、
前記リードフレームの素子搭載領域およびボンディング領域を露出する前記樹脂部の開口部と、
前記樹脂部に形成されるゲート樹脂残り部と、
前記ゲート樹脂残り部の周囲に形成されて前記ゲート樹脂部の突出量より深さの深い窪み部と、
前記ゲート樹脂残り部近傍の前記リードフレームに施された前記リードフレーム表層よりも前記樹脂部との密着性の高い表面処理部と
を有することを特徴とする半導体装置用パッケージ。
【請求項２】
前記樹脂部の前記窪み部における最小の樹脂厚が前記ゲート樹脂残り部の直径寸法以下であることを特徴とする請求項１記載の半導体装置用パッケージ。
【請求項３】
前記リードフレームが、
リードフレーム素地と、
リードフレーム素地表面に積層されて最外層がＰｄ層である中間層と、
前記中間層の表面に積層されて前記Ｐｄ層より前記樹脂部との密着力の低い最表層と
で構成され、
前記表面処理部が露出した前記Ｐｄ層であることを特徴とする請求項１または請求項２のいずれかに記載の半導体装置用パッケージ。
【請求項４】
前記リードフレームが、
リードフレーム素地と、
リードフレーム素地表面に積層される中間層と、
前記中間層の表面に積層される最表層と
で構成され、
前記表面処理部が、前記中間層の一部または全部と前記最表層とを削除した領域に形成する酸化膜または水酸化膜であることを特徴とする請求項１または請求項２のいずれかに記載の半導体装置用パッケージ。
【請求項５】
前記リードフレームが、
ＣｕまたはＣｕ合金のリードフレーム素地と、
リードフレーム素地表面に積層される中間層と、
前記中間層の表面に積層される最表層と
で構成され、
前記表面処理部が、露出する前記リードフレーム素地であることを特徴とする請求項１または請求項２のいずれかに記載の半導体装置用パッケージ。
【請求項６】
前記表面処理部が、前記リードフレーム表面に形成されて前記リードフレームの最表層よりも前記樹脂部との密着力の高い金属層あるいは酸化膜または水酸化膜であることを特徴とする請求項１または請求項２のいずれかに記載の半導体装置用パッケージ。
【請求項７】
請求項１〜６記載の半導体装置用パッケージと、
前記素子搭載領域に搭載される半導体素子と、
前記半導体素子と前記ボンディング領域とを電気的に接続するワイヤと、
前記開口部に充填される封止樹脂と
を有することを特徴とする半導体装置。
【請求項８】
前記半導体素子が光半導体素子であることを特徴とする請求項７記載の半導体装置。
【請求項９】
前記封止樹脂が、蛍光体含有樹脂と、前記蛍光体含有樹脂上に封止する透光性樹脂とからなることを特徴とする請求項８記載の半導体装置。
【請求項１０】
ボンディング領域を備える１または複数のリードおよびダイパッドからなるリードフレームと、
前記ダイパッドに搭載される半導体素子と、
前記半導体素子と前記ボンディング領域とを電気的に接続するワイヤと、
前記半導体素子および前記ワイヤを封止する樹脂部と、
前記樹脂部に形成されるゲート樹脂残り部と、
前記ゲート樹脂残り部の周囲に形成されて前記ゲート樹脂部の突出量より深さの深い窪み部と、
前記ゲート樹脂残り部近傍の前記リードフレームに施された前記リードフレーム表層よりも前記樹脂部との密着性の高い表面処理部と
を有することを特徴とする半導体装置。
【請求項１１】
前記樹脂部の前記窪み部における最小の樹脂厚が前記ゲート樹脂残り部の直径寸法以下であることを特徴とする請求項１０記載の半導体装置。
【請求項１２】
前記リードフレームが、
リードフレーム素地と、
リードフレーム素地表面に積層されて最外層がＰｄ層である中間層と、
前記中間層の表面に積層されて前記Ｐｄ層より前記樹脂部との密着力の低い最表層と
で構成され、
前記表面処理部が露出した前記Ｐｄ層であることを特徴とする請求項１０または請求項１１のいずれかに記載の半導体装置。
【請求項１３】
前記リードフレームが、
リードフレーム素地と、
リードフレーム素地表面に積層される中間層と、
前記中間層の表面に積層される最表層と
で構成され、
前記表面処理部が、前記中間層の一部または全部と前記最表層とを削除した領域に形成する酸化膜または水酸化膜であることを特徴とする請求項１０または請求項１１のいずれかに記載の半導体装置。
【請求項１４】
前記リードフレームが、
ＣｕまたはＣｕ合金のリードフレーム素地と、
リードフレーム素地表面に積層される中間層と、
前記中間層の表面に積層される最表層と
で構成され、
前記表面処理部が、露出する前記リードフレーム素地であることを特徴とする請求項１０または請求項１１のいずれかに記載の半導体装置。
【請求項１５】
前記表面処理部が、前記リードフレーム表面に形成されて前記リードフレームの最表層よりも前記樹脂部との密着力の高い金属層あるいは酸化膜または水酸化膜であることを特徴とする請求項１０または請求項１１のいずれかに記載の半導体装置。
【請求項１６】
リードフレームを上金型と下金型の上下一対で構成される成形用の金型の間に配置する工程と、
前記上下一対の金型を型締めして内部に形成されるキャビティに前記金型のゲートから溶融した樹脂をピンポイントゲート方式で注入する工程と、
前記ゲートを切断して離型する工程と
を有し、
あらかじめ、前記金型内で前記ゲートの近傍に位置する領域の前記リードフレームの表層部分に前記リードフレーム表層より前記樹脂との密着力の高い表面処理部を形成することを特徴とする半導体装置用パッケージの製造方法。
【発明の詳細な説明】
【技術分野】
【０００１】
本発明は、リードフレームと樹脂とで構成される半導体装置用パッケージとその製造方法、およびリードフレームを樹脂封止して成る半導体装置に関するものである。
【背景技術】
【０００２】
近年の電子機器はその小型化が進み、中でも特に携帯電話やノートＰＣ（携帯型パーソナルコンピュータ）に代表される携帯機器の小型化がめざましく、それに伴って携帯機器に内蔵される液晶画面のバックライト等の電子部品にもその小型化または低背化がますます求められている。
【０００３】
上述の機器が有する電子部品に用いられる半導体装置用パッケージは、リードフレームを樹脂で保持される構成が多く用いられる。また、半導体装置用パッケージを製造するには、樹脂成形金型内にリードフレームを配置し、樹脂充填口となるゲートから金型内に熱硬化性樹脂もしくは熱可塑性樹脂を注入するインサート成型を行い、射出成形やトランスファ成形にて生産される。また、個々のパッケージへの樹脂充填口となるゲートは、成形品の樹脂の厚みに対する影響が大きいため、ゲートの突出量の大小が半導体装置用パッケージの小型化または低背化を妨げる原因となっている。
【０００４】
金型内へ樹脂を注入する方式として、製品キャビティを構成する上下金型どちらかに断面積の小さな貫通孔からなるゲートを配置するピンポイントゲート方式と、製品キャビティ端面の上下金型分割部にゲートを配置するサイドゲート方式とがある。
【０００５】
サイドゲート方式では樹脂の厚みが薄くなる小型や低背型パッケージの成形においては、樹脂の流動経路が制限されるため樹脂の未充填を引き起こしてしまうといった問題があり、ピンポイントゲート方式を用いる以外に手段がないのが現状である。
【０００６】
ピンポイントゲート方式においては、離型時にゲートが成形品から切断されるので、離型後にゲートを切断する手間が省け、効率よく生産することが可能であり、半導体装置用パッケージの多くがこの方式で生産される。
【０００７】
以下、図９，図１０を用いて従来の半導体装置用パッケージおよびその製造方法について説明する。
図９はピンポイントゲート方式で作成された従来の半導体装置用パッケージを示す断面図である。図１０は従来の半導体装置用パッケージにおけるゲート直下部の樹脂の剥離を説明する図である。
【０００８】
半導体装置用パッケージを生産する際には、リードフレームを成型金型に載置し、ゲートから成型金型に設けたキャビティ（図示せず）へ樹脂を注入し、樹脂成形体１００として半導体装置用パッケージを形成する。光半導体装置用パッケージの場合、樹脂成型体１００の第１面側にはリフレクターとなる開口部１０３が設けられ、開口部１０３の底部には、ダイパッド部とインナーリード部の一部分が露出している。樹脂成型体１００の第１面と反対裏面側には、ゲート切断後に残存したゲート樹脂残り部１０５の突起を囲繞する窪み部１０４が設けられ、その表面からゲート樹脂残り部１０５が突出しないようにゲートを切断し光半導体装置用パッケージを形成している。
【０００９】
上述のように、ピンポイントゲート方式は効率よく生産できる利点がある反面、ゲート樹脂残り部１０５の突起が残存するといった課題があり、さまざまな対策が考案され改善されている。
【００１０】
近年では、パッケージを小型化、低背化が進み、樹脂成形体の高さを低くするために、図１０に示す、樹脂成型体１００の開口部側の厚み２０１の薄型化のみでなく、ゲート側の厚み２０２を薄くしたパッケージの要望が増加している。
【００１１】
そのようなパッケージをピンポイントゲート方式にて生産をおこなう場合、樹脂成形体のゲート側の厚み２０２を薄くし、且つゲート樹脂残りをパッケージ表面から突出しないように窪み部の深さを確保するためには樹脂成形品のゲート下部の樹脂厚２０３を薄くする必要がある。ゲート下部の樹脂厚２０３が薄くなると、図１０に示すように、ゲート切断時において、ゲート直下部の樹脂がゲートと共に剥離してしまい、ゲート直下部のリードフレーム表面が露出するといった新たな問題が発生する。
【００１２】
上記のような問題に対し、ゲートを樹脂の厚みが薄い領域でなく、リードフレームに設けられた貫通穴からなる射出成型窓に載置または挿入し、樹脂の厚みが確保できる樹脂成型体の側壁に配置することでゲート切断時に発生するリードフレームと樹脂が剥離するのを防止する製造方法が考案されている（例えば、特許文献１参照）。
【先行技術文献】
【特許文献】
【００１３】
【特許文献１】特表２００５−５３９３８６号公報
【発明の概要】
【発明が解決しようとする課題】
【００１４】
しかしながら、半導体装置用パッケージ形状やゲート位置に制限がある状況においては従来の出射成形窓を用いる樹脂成形方法を採用することができなかった。この場合、半導体装置用パッケージ形状やゲート位置を変えずにピンポイントゲート方式にてゲート直下の樹脂の厚みを充分に確保できない小型化または低背化された半導体装置用パッケージを成型せざるを得ず、ゲート切断時において、ゲート直下部の樹脂がゲート内の樹脂につながったままリードフレームから剥離し、図１０に示すようにゲート直下部のリード表面が露出してしまうという問題点があった。
【００１５】
上記の事象は、ゲート直下の樹脂の厚みがゲートの直径寸法以下となる場合に発生しやすく、この問題を解決するためにゲートの断面積を小さくすると、成形後のゲートの切断が容易になり樹脂の剥離は防ぐことができるが、成形時に樹脂を充填する圧力の損失等をまねき樹脂の充填性が悪くなり、特に樹脂の厚みが薄い部分を有するパッケージに対しては樹脂の未充填を引き起こし成形不良となるという問題点があった。
【００１６】
本発明は、これら課題を解決するものであり、ゲート下部の樹脂厚が薄く、樹脂形状やゲート位置に制限がある場合であっても、ゲート切断時においてゲート直下部のリードフレームからの樹脂の剥離によるリード裏面の露出を防止することを目的とする。
【課題を解決するための手段】
【００１７】
上記の目的を達成するために、本発明の半導体装置用パッケージは、１または複数のリードを備えるリードフレームと、前記リードフレームを保持する樹脂部と、前記リードフレームの素子搭載領域およびボンディング領域を露出する前記樹脂部の開口部と、前記樹脂部に形成されるゲート樹脂残り部と、前記ゲート樹脂残り部の周囲に形成されて前記ゲート樹脂部の突出量より深さの深い窪み部と、前記ゲート樹脂残り部近傍の前記リードフレームに施された前記リードフレーム表層よりも前記樹脂部との密着性の高い表面処理部とを有することを特徴とする。
【００１８】
また、前記樹脂部の前記窪み部における最小の樹脂厚が前記ゲート樹脂残り部の直径寸法以下であっても良い。
また、前記リードフレームが、リードフレーム素地と、リードフレーム素地表面に積層されて最外層がＰｄ層である中間層と、前記中間層の表面に積層されて前記Ｐｄ層より前記樹脂部との密着力の低い最表層とで構成され、前記表面処理部が露出した前記Ｐｄ層であっても良い。
【００１９】
また、前記リードフレームが、リードフレーム素地と、リードフレーム素地表面に積層される中間層と、前記中間層の表面に積層される最表層とで構成され、前記表面処理部が、前記中間層の一部または全部と前記最表層とを削除した領域に形成する酸化膜または水酸化膜であっても良い。
【００２０】
また、前記リードフレームが、ＣｕまたはＣｕ合金のリードフレーム素地と、リードフレーム素地表面に積層される中間層と、前記中間層の表面に積層される最表層とで構成され、前記表面処理部が、露出する前記リードフレーム素地であっても良い。
【００２１】
また、前記表面処理部が、前記リードフレーム表面に形成されて前記リードフレームの最表層よりも前記樹脂部との密着力の高い金属層あるいは酸化膜または水酸化膜であっても良い。
【００２２】
また、本発明の半導体装置は、前記半導体装置用パッケージと、前記素子搭載領域に搭載される半導体素子と、前記半導体素子と前記ボンディング領域とを電気的に接続するワイヤと、前記開口部に充填される封止樹脂とを有することを特徴とする。
【００２３】
また、前記半導体素子が光半導体素子であっても良い。
また、前記封止樹脂が、蛍光体含有樹脂と、前記蛍光体含有樹脂上に封止する透光性樹脂とからなっても良い。
【００２４】
さらに、本発明の半導体装置は、ボンディング領域を備える１または複数のリードおよびダイパッドからなるリードフレームと、前記ダイパッドに搭載される半導体素子と、前記半導体素子と前記ボンディング領域とを電気的に接続するワイヤと、前記半導体素子および前記ワイヤを封止する樹脂部と、前記樹脂部に形成されるゲート樹脂残り部と、前記ゲート樹脂残り部の周囲に形成されて前記ゲート樹脂部の突出量より深さの深い窪み部と、前記ゲート樹脂残り部近傍の前記リードフレームに施された前記リードフレーム表層よりも前記樹脂部との密着性の高い表面処理部とを有することを特徴とする。
【００２５】
また、本発明の半導体装置用パッケージの製造方法は、リードフレームを上金型と下金型の上下一対で構成される成形用の金型の間に配置する工程と、前記上下一対の金型を型締めして内部に形成されるキャビティに前記金型のゲートから溶融した樹脂をピンポイントゲート方式で注入する工程と、前記ゲートを切断して離型する工程とを有し、あらかじめ、前記金型内で前記ゲートの近傍に位置する領域の前記リードフレームの表層部分に前記リードフレーム表層より前記樹脂との密着力の高い表面処理部を形成することを特徴とする。
【発明の効果】
【００２６】
以上のように、リードフレームのゲート樹脂残り部の近傍表面に、樹脂との密着性が向上するような表面処理を施すことにより、樹脂形状やゲート位置に制限があり、かつ、ゲート直下部の樹脂厚がゲート径より薄い場合でも、リードフレームと樹脂との接合強度が向上するため、ゲート切断時に樹脂が剥離することを抑制することができる。
【図面の簡単な説明】
【００２７】
【図１】本発明の半導体装置用パッケージの構成を示す図
【図２】本発明の半導体装置の構成を例示する図
【図３】本発明の半導体装置用パッケージの樹脂成形に用いる成形金型の構成を例示する概略図断面
【図４】本発明の半導体装置の製造方法を示す断面図
【図５】実施の形態１におけるリードフレームの要部拡大断面図
【図６】実施の形態２におけるリードフレームの要部拡大断面図
【図７】実施の形態３におけるリードフレームの要部拡大断面図
【図８】実施の形態４におけるリードフレームの要部拡大断面図
【図９】ピンポイントゲート方式で作成された従来の半導体装置用パッケージを示す断面図
【図１０】従来の半導体装置用パッケージにおけるゲート直下部の樹脂の剥離を説明する図
【発明を実施するための形態】
【００２８】
まず、図１，図２を用いて、本発明の半導体装置用パッケージおよび半導体装置について説明する。
図１は本発明の半導体装置用パッケージの構成を示す図であり、図１（ａ）は上面外略図，図１（ｂ）は図１（ａ）のＸ−Ｘ’断面図，図１（ｃ）はリード形状の構成例である。図２は本発明の半導体装置の構成を例示する図であり、図２（ａ）は樹脂を透視して示す上面外略図，図２（ｂ）は図２（ａ）のＸ−Ｘ’断面図，図２（ｃ）は図１に示す半導体装置用パッケージを用いた半導体装置の構成を例示する断面図である。
【００２９】
図１に示す半導体装置用パッケージは光半導体装置に用いる光半導体装置用パッケージであり、２以上のリード３０と、リード３０を保持する樹脂部３１とからなる。また、樹脂部３１には、リード３０の素子搭載領域３２とワイヤボンディング領域３３とを開口するリフレクター３４が形成される。また、樹脂部３１のリフレクター３４形成面に対する裏面には窪み部３５が形成され、窪み部３５から突出しないゲート樹脂残り部３６が窪み部３５内に残存している。本発明の半導体装置用パッケージの特徴は、ゲート樹脂残り部３６のゲート径３７が窪み部３５における樹脂厚３８よりも大きく、かつ、ゲート樹脂残り部３６近傍のリード３０表面に、樹脂部３１の樹脂との密着力が向上する表面処理３９が施されていることである。ここで、図１においては、リード３０が３本（図１（ａ））または２本（図１（ｃ））の場合を例示しているが、リード３０の形状および本数は任意である。
【００３０】
図２は本発明の半導体装置を例示し、図２（ａ），図２（ｂ）はリードフレーム４０に搭載された半導体素子４１を封止樹脂４２により樹脂封止して形成された半導体装置を示す。このような半導体装置においても、半導体素子４１の搭載面に対する裏面側の、ダイパッドあるいはリードの表面におけるゲート樹脂残り部３６の近傍に表面処理３９を施し、封止樹脂４２に窪み部３５が形成され、樹脂厚３８よりゲート径３７の大きいゲート樹脂残り部３６が窪み部３５から突出しないことを特徴とする。また、図２（ｃ）は図１に示す光半導体装置用パッケージの素子搭載領域３２に光半導体素子４３を搭載し、リフレクター３４内を透光性樹脂４４で封止した光半導体装置である。
【００３１】
図１，図２に示すように、リード３０、またはリードおよびダイパッドで構成されるリードフレーム４０のゲート樹脂残り部３６近傍の表面に、樹脂部３１の樹脂との密着力が向上する表面処理３９を施すことにより、ゲート直下部の樹脂厚３８がゲート径３７より薄く、樹脂形状やゲート位置に制限がある場合でも、リードフレームと樹脂との接合強度が向上するため、ゲート切断時に樹脂が剥離することを抑制することができる。それにより、耐湿性、気密性、実装性に優れ、小型化、低背化により樹脂の厚みが薄型化された、側面発光型や、ＳＭＤ型を主とした半導体装置用パッケージや半導体装置を提供することができる。
【００３２】
次に、図３，図４を用いて本発明の半導体装置用パッケージおよび半導体装置の製造方法について説明する。以下、光半導体装置用パッケージおよび光半導体装置を例に説明する。
【００３３】
図３は本発明の半導体装置用パッケージの樹脂成形に用いる成形金型の構成を例示する概略図断面であり、図３（ａ），図３（ｂ）はそれぞれ互いに直交する方向における断面図である。図４は本発明の半導体装置の製造方法を示す断面図であり、図４（ａ）は半導体装置用パッケージを示す図、図４（ｂ）は素子搭載工程、図４（ｃ）は樹脂封止工程を示し、図４（ｄ）は樹脂封止工程の別例を示す。
【００３４】
まず、本発明の半導体装置用パッケージの製造方法を説明する。
図３に示すように、樹脂成形体１００（図４参照）の形成領域となるキャビティ５を備える上金型１と下金型１３とで、後述の製造方法で形成したリードフレーム２１を型締めする。次に、上金型１に設けられたピンポイントゲート７から樹脂を注入し、リードフレーム２１を保持する樹脂成形体１００（図４参照）を成形する。次に、金型を離型することにより、ピンポイントゲート７内に残存するゲートを樹脂成形体１００（図４参照）から切断し、図４（ａ）に例示する本発明の半導体装置用パッケージを製造する。
【００３５】
このように、図４に示す本発明の半導体装置用パッケージは、リードフレーム２１を覆う形で熱可塑性樹脂もしくは熱硬化性樹脂からなる樹脂成形体１００が形成され、該樹脂成型体１００の第１面側にはリフレクター３４となる開口部１０３が設けられ、開口部１０３の底部には、半導体素子３００を載置する第１のリード１０１の素子搭載領域３２と該半導体素子３００を電気的に接続するための第２のリード１０２の夫々の主面の一部分が露出している。
【００３６】
そして、上述のように、前記樹脂成型体１００の第１面と反対裏面側には、ゲートを切断したゲート樹脂残り部１０５が残存し、該ゲート樹脂残り部１０５の突起が表面から突出しないように窪み部１０４が設けられている。また、前記樹脂成型体１００のゲート直下部の樹脂の厚み２０３はゲート径２０６より薄く成形されている。さらに、このゲート直下部の樹脂の厚み２０３を薄く形成しても、ゲート切断時にリードフレーム２１から樹脂が剥離しないように、リードフレーム２１のゲート直下部の樹脂と接する部分に接着強度を高めるための表面処理３９を施したエリア２６が形成されている。
【００３７】
ここで、リードフレーム２１の表面と樹脂との密着性は、親水性を備える−ＯＨ基を有する樹脂と、−Ｏ基を有するリードフレーム２１表面層との間の水素結合によって確保されている。そのため、表面処理３９により、樹脂と接するリードフレーム２１表面層をより酸化し易い材質の層とすることが有用である。また、密着性は接着表面の状態によっても向上するため、リードフレーム２１表面層の表面粗さを粗くすることも有用である。
【００３８】
次に、上述のパッケージを用いた半導体装置の製造方法を説明する。
まず、図４（ａ）に示す半導体装置用パッケージの第１のリード１０１の素子搭載領域３２に半導体素子３００を載置し、半導体素子３００と第２のリード１０２とをワイヤ３０１で電気的に接続する（図４（ｂ））。そして、開口部１０３に封止樹脂３０２が充填され、半導体素子３００を封止することにより半導体装置が形成される（図４（ｃ））。
【００３９】
この時、半導体素子３００が発光素子の場合、半導体素子３００（この場合は発光素子）を覆うように蛍光体含有樹脂３０３を封止した後、その上部に透光性樹脂３０４を設けることにより、光半導体装置を形成する（図４（ｄ））。
【００４０】
次に、各実施の形態として表面処理の具体的な構成について説明する。
《実施の形態１》
図５は実施の形態１におけるリードフレームの要部拡大断面図である。
【００４１】
図５に示すように、リードフレーム５１は、リードフレーム素地２２に、素地金属の拡散を防止する中間層であるＮｉ（ニッケル）層２３，Ｐｄ（パラジウム）層２４と、半導体素子や基板等との実装性を確保するためのＡｕ（金）層２５とが積層されて形成され、ゲート樹脂残り部が形成される領域近傍のエリア２６において、Ａｕ層２５が除去されてＰｄ層２４が露出する表面処理３９が施される。
【００４２】
具体的には、リードフレーム素地（厚さ約１５０μｍ）２２は、熱伝導性や放熱性などを考慮して、一般的にＣｕ（銅）またはＣｕ合金で形成される。また、非銅系金属（例えばＦｅＮｉ合金）を使用する場合は、その最外層にＣｕもしくはＣｕ合金の層を形成することが好ましい。また、上記記載のリードフレーム素地２２の全面に被覆したＮｉ（ニッケル）層（厚さ約０．８μｍ）２３を下地層として、Ｐｄ（パラジウム）層（厚さ約０．１５μｍ）２４が全面に形成され、その上からリードフレームの表面層としてＡｕ（金）層（厚さ約０．００８μｍ）２５を形成してリードフレーム５１が形成され、表面処理として、リードフレーム５１のゲート直下部の樹脂と接する領域であるエリア２６における最表層のＡｕ層２５を除去して第２層のパラジウム層２４を外部へ露出させる。
【００４３】
Ｐｄ層２４を露出させた表面処理を施す方法として、他に、リードフレーム５１にＰｄ層２４を形成した後、衆知の技術であるマスキング法を用いてエリア２６にマスキングを施し、Ａｕめっき処理を行った後、マスキングを除去する方法もある。エリア２６以外の全面にＰｄ層２４を露出させる場合はこの方法が有効である。
【００４４】
図３に示すように、上記の構成のリードフレームを下型１３に位置決めして載置し、当該下型１３に対して上型１を型締めした後、ゲート７を介して成形樹脂がキャビティ５内へ充填され成形樹脂の硬化後、成形機と連動してゲート切断され、金型より離型することによって半導体装置用パッケージが成形される。
【００４５】
本発明はゲート直下部の樹脂と接するリードフレーム５１のエリア２６において最表層の少なくとも一部分をＰｄ層２４とすることにより、ＡｕよりＰｄの方が樹脂と水素結合しやすいので、最外層がＡｕ層２５である場合に比べて成形樹脂との接合強さを強くすることができ、樹脂形状やゲート位置に制限がありピンポイントゲート方式で樹脂を成形した場合で、ゲート直下の樹脂厚をゲート径より薄くしたとしても、ゲート切断時におけるゲート直下のリードフレームからの樹脂の剥離の発生を防ぐことができる。
【００４６】
ここで、Ｐｄ層２４として、コスト高となる純度の高いＰｄを形成する代わりに、不純物の混入等により純度を落としたＰｄ層もしくはＰｄ合金層とすることもできる。さらに、Ｐｄ層にかわり、Ｃｕ等の素地金属の拡散を防止でき、成形樹脂に対する接合強さがＡｕ層等のリードフレーム開口部最表層よりも高い金属層とすることもできる。
【００４７】
なお、本発明のリードフレームは、リードフレーム素地２２の材質により、素地金属の拡散を防止する１または複数層の中間層と、最表層に実装性の高い材質からなる層を形成し、本実施の形態ではエリア２６において、最表層より樹脂との密着性の高い中間層を露出させることを特徴とし、その範囲において組成は任意である。例えば、実装性を確保するため最表層にＡｕやＡｇを用いられることが一般的であり、露出される中間層として用いられる材料としては、酸化力の強い材質が好ましく、Ａｕを最表層に用いた場合はＡｌ，Ｚｎ，Ｆｅ，Ｎｉ，Ａｇを用いることができ、Ａｇ，Ａｕを最表層に用いた場合はＡｌ，Ｚｎ，Ｆｅ，Ｎｉを用いることができる。なお、Ａｌ，Ｚｎ，Ｆｅ，Ｎｉ，Ａｇ，Ａｕはこの順で酸化しやすい傾向がある。
【００４８】
以下の各実施の形態では、リードフレーム２１の表面処理３９（図１，図２参照）部分のみを説明し、他の共通する構成については説明を省略する。
《実施の形態２》
図６は実施の形態２におけるリードフレームの要部拡大断面図である。
【００４９】
図６に示すように、実施の形態２のリードフレーム６１は、リードフレーム素地２２に、例えば、実施の形態１と同様に、下地層である例えばＮｉ（ニッケル）層２３，Ｐｄ（パラジウム）層２４等の中間層と、最表層であるＡｕ（金）層２５等とが積層されて形成され、ゲート樹脂残り部が形成される領域近傍のエリア２６において、Ｎｉ層２３，Ｐｄ層２４およびＡｕ層２５を形成せず、リードフレーム素地２２を露出し、リードフレーム素地２２上に表面処理としてリードフレーム６１の構成材料より樹脂との密着性の高い酸化膜２７を形成することが特徴である。
【００５０】
具体的には、衆知の技術であるマスキング法を用いて、リードフレーム素地２２上のエリア２６の部分にマスキングした状態で、リードフレーム素地２２上にＮｉ層２３，Ｐｄ層２４およびＡｕ層２５を積層した後、マスキングを除去することで、エリア２６においてリードフレーム素地２２の素地面を露出し、その他の領域にＮｉ層２３，Ｐｄ層２４およびＡｕ層２５を積層する。また、エリア２６においてリードフレーム素地２２の素地面を露出する方法は、他にも、各金属層を生成した後、金属剥離液等を用いてエリア２６の金属層を除去する等の方法を用いることもできる。
【００５１】
その後、上記で形成したエリア２６に表面処理として酸化膜２７（ＣｕＯ）を生成する。酸化膜２７は、黒化処理液中（例えば有機アルカリ溶液）で陽極酸化させることにより生成される。酸化膜２７は羽毛状を成すため、樹脂成形の際に、溶融した成形樹脂が膜内に進入してアンカー効果により接合力を高くすることができる。これにより、ゲート直下部の樹脂厚がゲート径より薄く、樹脂形状やゲート位置に制限がある場合でも、リードフレームと樹脂との接合強度が向上するため、ゲート切断時に樹脂が剥離することを抑制することができる。
《実施の形態３》
図７は実施の形態３におけるリードフレームの要部拡大断面図である。
【００５２】
実施の形態３におけるリードフレーム７１は、実施の形態２と同様にエリア２６においてＮｉ層２３，Ｐｄ層２４等の中間層およびＡｕ層２５等の最表層を積層せずにリードフレーム素地２２の素地面を露出させ、エリア２６のリードフレーム素地２２上に表面処理として水酸化銅膜２８（Ｃｕ（ＯＨ）２）等のリードフレーム７１の構成材料より樹脂との密着性の高い水酸化膜を形成する。水酸化銅膜２８（Ｃｕ（ＯＨ）２）は、リードフレーム素地２２のエリア２６の部分を自己還元力に優れた酸化剤を添加した黒化処理液中に浸漬することにより形成される。水酸化銅被膜２８の水酸化物は、例えばエポキシ樹脂、ポリイミド樹脂、フェノール樹脂、塩化ビニル樹脂等の硬化時に生成する水酸基（−ＯＨ）と水素結合を行うことにより接合力を高くすることができる。そのため、ゲート直下部の樹脂厚がゲート径より薄く、樹脂形状やゲート位置に制限がある場合でも、リードフレームと樹脂との接合強度が向上するため、ゲート切断時に樹脂が剥離することを抑制することができる。
【００５３】
実施の形態２または実施の形態３において、リードフレーム素地２２を露出して酸化膜あるいは水酸化膜を形成したが、中間層の一部が残存した状態で酸化膜あるいは水酸化膜を形成しても良い。また、酸化膜あるいは水酸化膜を最表層と面一に形成しても良いが、酸化膜あるいは水酸化膜が最表層より窪んだ形状にしても良い。
《実施の形態４》
図８は実施の形態４におけるリードフレームの要部拡大断面図である。
【００５４】
実施の形態４におけるリードフレーム８１は、実施の形態２，実施の形態３と同様にエリア２６においてＮｉ層２３，Ｐｄ層２４およびＡｕ層２５等を積層せずにリードフレーム素地２２の素地面を露出させ、実施の形態２，実施の形態３と異なり、エリア２６に水酸化銅膜２８や水酸化銅膜２８を形成せず、表面処理としてリードフレーム素地２２であるＣｕまたはＣｕ合金を露出させることを特徴とする。エリア２６においてリードフレーム素地２２を露出して樹脂を直接接触するようにし、ＣｕまたはＣｕ合金の表面粗さがリードフレーム７１の構成材料よりの表面粗さより粗いため、その表面粗さに起因するアンカー効果により樹脂成形体との接合力を向上させることができる。これにより、ゲート直下部の樹脂厚がゲート径より薄く、樹脂形状やゲート位置に制限がある場合でも、リードフレームと樹脂との接合強度が向上するため、ゲート切断時に樹脂が剥離することを抑制することができる。
【００５５】
以上の実施の形態２，実施の形態３ではエリア２６の部分のみに接合強度を高めるための表面処理を施しているが、素子搭載領域やボンディング領域等を除く全面に同様の処理を施してもよく、少なくともゲート直下部の樹脂と接する部分において高い接着強度が確保し、実装性が要求される素子搭載領域やボンディング領域等にのみ最表層が露出すればよい。
【００５６】
以上、本発明の表面処理の実施の形態について説明したが、リードフレームのゲート直下部の樹脂と接する部分の接合強度を高めるという本発明の技術的思想の主旨に基づいているならば、これらに限定されることなく種々の変形が可能である。
【００５７】
例えば、実施の形態１では、リードフレーム５１のエリア２６のＡｕ層２５を除去して第２層であるＰｄ層２４を利用したが、これに代えて、当該エリア２６の最外層のＡｕ層２５上に別途Ｐｄ層等の最表層より樹脂との密着力の高い層を形成することにより接合強さを高くしてもよい。同様に、リードフレームの最外層のＡｕ層２５上のエリア２６に相当する部分に酸化膜や水酸化膜を形成することも有効である。
【産業上の利用可能性】
【００５８】
本発明は、ゲート直下部の樹脂厚がゲート径より薄い場合でも、リードフレームと樹脂との接合強度が向上するため、ゲート切断時に樹脂が剥離することを抑制することができ、リードフレームと樹脂とで構成される半導体装置用パッケージとその製造方法、およびリードフレームを樹脂封止して成る半導体装置等に有用である。
【符号の説明】
【００５９】
１    上金型
５    キャビティ
７    ピンポイントゲート
１３    下金型
２１    リードフレーム
２２    リードフレーム素地
２３    Ｎｉ層
２４    Ｐｄ層
２５    Ａｕ層
２６    エリア
２７    酸化膜
２８    水酸化銅膜
３０    リード
３１    樹脂部
３２    素子搭載領域
３３    ワイヤボンディング領域
３４    リフレクター
３５    窪み部
３６    ゲート樹脂残り部
３７    ゲート径
３８    樹脂厚
３９    表面処理
４０    リードフレーム
４１    半導体素子
４２    封止樹脂
４３    光半導体素子
４４    透光性樹脂
５１    リードフレーム
６１    リードフレーム
７１    リードフレーム
８１    リードフレーム
１００    樹脂成型体
１０１    第１のリード
１０２    第２のリード
１０３    開口部
１０４    窪み部
１０５    ゲート樹脂残り部
２０１    厚み
２０２    厚み
２０３    樹脂厚
２０６    ゲート径
３００    半導体素子
３０１    ワイヤ
３０２    封止樹脂
３０３    蛍光体含有樹脂
３０４    透光性樹脂
【図１】
2013051296.tif 000003
【図２】
2013051296.tif 000004
【図３】
2013051296.tif 000005
【図４】
2013051296.tif 000006
【図５】
2013051296.tif 000007
【図６】
2013051296.tif 000008
【図７】
2013051296.tif 000009
【図８】
2013051296.tif 000010
【図９】
2013051296.tif 000011
【図１０】
2013051296.tif 000012